(57)【特許請求の範囲】
【請求項１】
電力供給バスシステムであって、
電気的に絶縁されたキャリア、該電気的に絶縁されたキャリアに取り付けられた第１、第２、及び第３の導電性素子を備えるコンダクティブバスであって、第１、第２、及び第３の導電性素子のそれぞれは、前記電気的に絶縁されたキャリアの表面に露出され、第１、第２、及び第３の導電性素子は、前記電気的に絶縁されたキャリアの長さに沿って互いに平行に伸びており、第２の導電性素子は、第１の導電性素子と第３の導電性素子との間に等間隔で配置され、前記電気的に絶縁されたキャリアの少なくとも一部が、第１の導電性素子と第２の導電性素子との間、及び第２の導電性素子と第３の導電性素子との間に配置される、コンダクティブバスと、
直流（ＤＣ）出力を前記コンダクティブバスに提供する電力源と、
データ信号出力を前記コンダクティブバスに提供するデータソースと、
負荷コネクタであって、該負荷コネクタは、前記コンダクティブバスの前記露出された第１の導電性素子に接続するように構成された第１の電気接点と、前記コンダクティブバスの前記露出された第３の導電性素子に接続するように構成された第２の電気接点と、前記コンダクティブバスの前記露出された第２の導電性素子と協働して前記負荷コネクタと前記コンダクティブバスとの間の磁気的な接続を提供するように構成された磁石と、を有しており、前記磁気的な接続によって、前記負荷コネクタが前記コンダクティブバスの長さに沿って移動することを可能にし、それぞれ前記コンダクティブバスの前記露出された第１の導電性素子及び前記コンダクティブバスの前記露出された第２の導電性素子を含む第１の電気接点及び第２の電気接点の接続は、前記負荷コネクタが前記コンダクティブバスを介して前記データソースから前記データ信号出力を受け取り、且つ前記負荷コネクタが前記コンダクティブバスの長さに沿って移動する際に、前記コンダクティブバスを介して前記電力源から前記ＤＣ出力を受け取るように維持され、前記負荷コネクタは、前記ＤＣ出力の少なくとも一部を提供するポートをさらに含み、前記ＤＣ出力の少なくとも一部は、前記電力源から前記コンダクティブバスを介して前記ポートに結合可能な装置に受け取られる、負荷コネクタと、を含む、
電力供給バスシステム。
【請求項２】
前記負荷コネクタの前記ポートは、ユニバーサルシリアルバス（ＵＳＢ）接続の使用によって前記装置に取り外し可能に結合されるように構成される、請求項１に記載の電力供給バスシステム。
【請求項３】
第１の電気接点及び第２の電気接点は、それぞれ前記コンダクティブバスの前記露出された第１の導電性素子及び前記コンダクティブバスの前記露出された第２の導電性素子に向いた方向にバネで付勢される、請求項１に記載の電力供給バスシステム。
【発明の詳細な説明】
【技術分野】
【０００１】
本願は、２０１２年１１月１３日出願の米国仮特許願６１／７２５７９５「低電圧バスシステム」の優先権と、２０１３年２月２５日出願の米国仮特許願６１／７６８９０６「低電圧バスシステム」の優先権と、２０１２年１０月３日出願の米国仮特許願６１／７４４７７９「低電圧バスシステム」の優先権とを主張する非仮特許出願であり、それらの内容を全面的に本願に引用する。
【０００２】
本開示内容は概して低電圧バスシステムに関し、さらに特定すれば、例えば、オフィース調度品（事務用家具を含む）への電気接続を提供する低電圧バスシステムに関する。
【背景技術】
【０００３】
米国の発電所は、ほぼ独占的に高電圧交流電流（ＡＣ）を介して、住居用、商業用および産業用の電力を供給する。しかし、そのような住居、商業施設および工場で見られる益々増加する機器は、低電圧直流電流（ＤＣ）の電力で運用される。例えば、充電可能なバッテリー（電池）を利用するほぼ全ての製品、例えば、ラップトップ、携帯電話、スマートフォン、等々は、機器の電力管理及び／又は充電のために低電圧ＤＣを必要とする。よって、低電圧ＤＣを利用する機器は一般的に、汎用電気コンセントからのＡＣ電圧をそのような機器に電力供給するのに必要なＤＣ電圧に変換する変圧“ブリック”を必要とする。
【０００４】
しかし、これら変圧“ブリック”は空間を効率的に活用せず、しばしばＡＣ電圧をＤＣ電圧に効率よく変換しない。すなわち、大抵の場合に電圧変換の過程で電気の無駄が発生する。無駄になる電気のコストは個々の機器では小さいであろうが、住居、オフィースワークスペース（仕事現場）、工場、等々の全体で考えれば非常に大きいものとなる。しかしながら今日においては、ＬＥＤ照明およびモニターを含んだ現在のＤＣ負荷に関しては、効率的なエネルギー変換によって、現代のオフィースはせいぜい１００ワット程度の小電力で賄える。また、オフィースのための無停電電源（ＵＳＰ）は、内部バッテリーに蓄電されたＤＣ電力を転換させることで、それらに結合されたＡＣ負荷にバックアップを提供する。ＤＣ蓄電装置としてのバッテリーおよび主としてＤＣである負荷により、バッテリーを備えたＤＣ活用電力配送バスシステムは単純形態であり、効率が向上しており、その結果、“二重変換”を回避することで同じ容量のバッテリーがさらに長期にわたってバックアップ電力を提供できる。さらに、エネルギーの効率的な利用のトレンドが高まるに連れ、ビル（建物）等が、太陽電池パネル、風力発電機、等々の代替電力源からＡＣ電圧の代わりにＤＣ電圧を直接的に受領することが可能になっている。このような場合、変圧ブリックを活用するには、これらＤＣ電力源はまずＡＣへ変換され、その後に低電圧ＤＣに変換して戻されることが必要になろう。このようなことは、現行状態よりもさらに非効率な“二重変換”の別形態である。いずれにしろ、効率的なエネルギー利用およびワークスペースの効率化を促進させる形態で低電圧のＤＣ電力をオフィースワークスペースに導入する明確な必要性が存在する。
【０００５】
さらに、上述したように、商業ビル内ではエネルギーの効率利用がトレンドになっている。例えば、オフィース、販売店または他の商業施設の総エネルギー消費量のそれぞれ約２０％から３０％と、２０％から２５％であるプラグロードと照明の両方からのエネルギー消費量を減少させる要求が存在する。これらビル内のエネルギー消費量を減少させるトレンドは、エネルギー使用規則等によって促進されている。例えば、エネルギー使用規則には、ワークスペースに使用者が不在であるときにプラグロードおよび照明への電力供給の遮断を求めるものが存在する。
【０００６】
このようなオフィースの規則に従うため、従来の１２０Ｖ交流電流コンセントに差し込まれる新型電源コード（ＡＰＳ）が、制御方法（例：時間制または利用者検出）に基づいてデスクトップ（卓上）設備への電力をカットできることは知られている。しかしＡＰＳ機能は限定されている。大抵のＡＰＳは、固定された少数のプラグロードに対処できるだけであり、多くの場合には、変圧“ブリック”は隣接するソケットにフィットせず、オフィースワークスペースの散乱状態に拍車をかける。加えてＡＰＳは、不便な場所に設置されていることがあり、煩わしい電源カットによって、しばしばオフィース利用者に無視され、エネルギー節約の効果は限定的である。
【発明の概要】
【発明が解決しようとする課題】
【０００７】
ＡＰＳの代替として、商業ビル環境における電気節約のためにビル管理システム（ＢＭＳ）の利用が増加している。ＢＭＳは、例えば頭上照明を含んだビルのエネルギー使用インフラの多様な形態を制御できる。しかしＢＭＳは新規建造物および現存ビルの両方で利用するには複雑で高価である。よって、オフィースワークスペース環境のごとき、さらにローカルなレベルで、プラグロードを減らすため、低コストで、エネルギー利用を大きく低減させるシステムの明確な需要が存在する。
【０００８】
加えて、労働力がさらに機動的およびフレキシブルになると、オフィースワークスペースは従業員個人中心のワークスペースから共有オフィースワークスペース環境に変貌する。例えば、オフィースワークスペースは午前中には外販員によって占有され、続いて午後には現場技術者によって占有され、よって、それぞれの利用者の異なる需要に合わせた素早くて容易な調整が必要である。このような異なる需要は、例えば、それぞれの利用者の利き腕、身長、個人的嗜好、肉体的制限および仕事内容によって異なる。従って機械的に調節可能なオフィース調度品の需要が高まる傾向にある。
【０００９】
機械的に調節可能なオフィース調度品の需要の増加は、さらに小型であるオフィースの需要のトレンドによっても推進されている。コストを削減し、及び／又は仕事仲間との協調を促進するため、会社は益々小型のオフィースワークスペースにするように努めているため、典型的なオフィースワークスペースは小型化している。これら小型オフィースワークスペースは、仕事に利用できる面積がその分だけ狭くなっている。機械的に調節可能な棚システムは、追加の仕事面積を利用者による使用のために開放すべく、様々な機器、例えば、電話、モニター、コンピュータ、等々を仕事面から持ち上げて空間を生み出すように利用されている。現在利用が可能である機械的に調節可能な棚システムの１つの欠点は、それが機器の電気的な必要性に対処しておらず、電力コードを互いに絡ませていることである。これは外見が見苦しく、既に小さなオフィースワークスペースを乱雑化することになる。低電圧ＤＣは重大な感電リスクを伴わないため、オフィースワークスペースでのその利用はそれら機器に容易にアクセスできる電力を提供する。よって、低電圧ＤＣ電力をオフィースワークスペースに効率的に持ち込むことによって達成できる改良された機械的に調節が可能なオフィース調度品の明確な需要が存在する。
【００１０】
エネルギー効率が高いワークスペースの達成を助けるため、前述したように、オフィースの電気料金に占める割合が相対的に高いという理由で、照明は低減の標的となっている。利用者の存在の検知技術の進歩およびＬＥＤ技術の進歩はこのエネルギー使用の低減を助けるが、これら照明器具は、照明器具への電力の取り入れ口および光線の出力を必要とする場所に関わる諸問題を抱える。さらに、ＬＥＤ技術は照明に新たな挑戦をもたらす。すなわち、長寿命を達成するためにはＬＥＤチップ自身が冷却されている必要がある。今日の自立型照明器具は大抵の場合に平坦面上に置かれる基部を有しており、電力はその基部を通して取り込まれ、器具の頸部を通ってソケットと電灯内に入り、電力が光に変換されて仕事面を照らす。全ての照明器具において、このメカニズムは電気システムが器具全体を通過することを必要とする。ＬＥＤ照明においては、器具の上部でヒートシンク（通常は大きな金属塊）を必要とする。このことは照明器具の上部を重くするが、横転を防止するために照明器具の基部にその塊体を活用することはまずない。透明パネルのエッジ電照を利用するＬＥＤ照明はそれらの要求の一部に応えるが、ＬＥＤ源から放射される光線の方向から主に９０°の方向に大部分を放射し、光線の大部分を照明が必要な仕事面には方向付けず、ワークスペースで仕事する人物の顔に向けて照射する。その結果、基部の近くに光供給源を有するが、光出力の大部分を基部が置かれる表面の方向に向けることができる照明器具に対する明確な需要が存在する。
【課題を解決するための手段】
【００１１】
この概要は、以下の詳細な説明においてさらに詳細に説明されている単純化された形態の本発明概念を紹介するように提供されている。この概要は本発明の重要または本質的な本発明の特徴を特定することを意図するものではなく、本発明の範囲を限定することを意図するものでもない。
【００１２】
本発明は、オフィースワークスペースの乱雑度を低減し、ワークスペースのカスタム化および効率化を促進することができるように、オフィースワークスペース内にＤＣ電力または他の信号を分配する際の問題の少なくとも一部に対処する。１実施形態においては、本発明のシステムは、電力、その他の信号、等々を、照明器具、扇風機、電気コンセント、カップ加温器、等々のオフィース調度品および他の機器全体に分配するように、そこに取り付けられたコネクタを有したバスを介して、電力、例えば低電圧ＤＣ電力または通信信号をオフィースワークスペース内に分配することができる。
【００１３】
１例では、電気バスのごときコンダクティブ（導電）バスがオフィス家具部分（構成要素）に取り付けられ、適したコネクタを介して電源、及び／又は別なバスに接続される。１例では、そのコネクタはオフィス家具部分のパネルスロットに取り付けられ、あるいはオフィス家具部分に取り付けられた電気バスに直接的に取り付けられる。オフィス家具部分がパネルスロットを有するときには、コネクタは、不断で連続的に配置されている電気バスを創出するためにパネルスロットによって発生した回路ギャップを架橋する。コネクタを介して接続されているとき、オフィス家具部分に取り付けられたコンダクティブバスは時に共線状である。コンダクティブバスが、例えば、キュービクルウォール（パーティションパネル、等々）、デスクトップ、デスクエッジ、デスクレッグ、キャビネット、ファイルキャビネット、戸棚、本棚、またはそれら、あるいはその他の調度品要素の個別または組み合わせを含んだ多数の異なるタイプのオフィス家具部分に取り付けられることがさらに想定されている。コンダクティブバスは数多くの方法でオフィス家具部分に取り付け可能であり、例えば、接着剤、フック・ループ式固定具、磁石、ネジ、オフィス家具部分自体への一体化、その他の手段によって取り付けが可能である。同様に、コンダクティブバスに取り付けられる機器はいくつかの方法、例えば、機器およびコンダクティブバス内で磁石を使用して、機器とコンダクティブバスの間に結合状態が形成できる。これらの例においては、機器は１回の動作でコンダクティブバスに電気的および機械的に固定できる。
【００１４】
別例では、プッシュイン（押込み型）端子を有したコネクタが、コンダクティブバスに電力を供給する２本のワイヤー（通電線）を受領する。このような場合にも、コネクタはパネルスロットに取り付けられ、パネルスロット自身は、そこに取り付けられたバスを有したオフィス家具部分に固定される。あるいは、相互接続端子を上記のプッシュイン端子の代用とすることも想定されている。さらに別例では、コネクタは利用状態にされたときに電気バスを非通電状態にするセンサーを含むことができる。
【００１５】
別例では、コンダクティブバスシステムはオフィース調度品の電力供給部（要素）を組み入れ、オフィース環境で通常に使用される変圧“ブリック”と置換される。別例では、コンダクティブバスシステムは、エネルギー需要に応じて電気バスへの電力の供給または供給停止のためのスイッチ操作、増加、減少及び／又はその他の形態の制御を行うためのフィードバックを提供するセンサーを組み入れている。スイッチ及び／又はセンサーは様々な場所に設置できる。例えば、場合によっては、スイッチは電力供給部と１以上のコンダクティブバスとの間に配置される。他の例では、電力供給部はスイッチを含むことができる。さらに、センサーは、例えば、スイッチ及び／又は電力供給部のごとき複数の機器と有線または無線で通信できる。
【００１６】
当該分野の通常レベル技術者であれば、コンダクティブバスシステムの他の物理的形態であっても本発明の範囲に属することを理解しよう。例えば、コンダクティブバスは、特定の低電圧バスシステムの機能的および美的需要を満たす任意の特定断面形状を有するようにも加工できる。別例として、電気バス等のコンダクティブバスは、垂直に取り付けられたスロットシステムに、またはコンダクティブバスシステムに取り付けられるように、器具のための複数の垂直配置オプションを許容する水平スロット壁システムに、あるいはデスクトップ面に沿って設置されている水平取り付けシステムに取り付けが可能である。電気バスシステムは、１本以上のワイヤーまたはケーブルを保護及び／又は遮蔽するワイヤー軌道として機能する非コンダクティブ（非導電）キャリアに取り付けることもできる。
【００１７】
当該分野の通常レベル技術者であれば、本発明が、ここで詳細に説明する電力バスシステムに加えて、あるいはそれに成り代わって、他のタイプのコンダクティブバスシステム、例えば、通信、ネットワーキング、ＰＳＴＮ、ＶＯＩＰ、インターネット、イーサネット（登録商標）、電話、シリアル、ＵＳＢ、等々にも同様に適用できることも理解しよう。
【００１８】
電気的に導電性のバスに関して、多種多様な機器が本発明のバスと共に使用できる。いくつかの例では、これら機器にはコンダクティブバスに電気的および機械的に結合できるエッジ電照型照明装置が含まれる。これらエッジ電照型照明装置には一般的に、基部近くに提供される発光ダイオード（ＬＥＤ）のごとき光源、光ガイド、および光線を対象面あるいは他の物体に配分するための光学手段等が含まれる。特に１例では、光ガイドの側部ではなく、光ガイドの端部からの光線を配分できるように、光学手段は光ガイド上に配置できる。その例としてのエッジ電照型照明器具には、例えば、床照明具、デスクトップ照明具、ホワイトボード、および個人用スクリーン、等々が含まれる。
【図面の簡単な説明】
【００１９】
【図１】１実施例によるコネクタと、パネルスロットを有する１実施例による調度品要素を図示する。
【図２】図１のパネルスロットの断面図であり、図１のコネクタがいかにパネルスロットに取り付けられるかを図示する。
【図３】キュービクルウォールオフィス家具部分の垂直取り付けスロット内に組み入れられた部分的に露出した線状電気バスシステムの１実施例を図示する。
【図４】部分的に露出した線状電気バスに取り付けられた１実施例による照明器具を備えたキュービクルウォールオフィス家具部分の上縁に取り付けられた部分的に露出した線状電気バスの１実施例を図示する。
【図５】オフィス家具部分に取り付けられたコンダクティブバスを接続するために、図１のコネクタがパネルスロットに取り付けられている状態のコンダクティブバスシステムを図示する。
【図６】オフィス家具部分に取り付けられたコンダクティブバスを電力供給部に接続するプッシュイン端子を有した１実施例のコネクタを図示する。
【図７】スプリッタがバスへの電力供給の制御に使用されている１実施例のコンダクティブバスシステムの回路図の１実施例を図示する。
【図８】コネクタがバスへの電力供給の制御に使用されるスイッチとセンサーを含んでいる１実施例のコンダクティブバスシステムの回路図の１実施例を図示する。
【図９】オフィス家具部分に取り付けられたコンダクティブバスを電力源に接続する相互接続端子を有する別実施例のコネクタを図示する。
【図１０】垂直に取り付けられたスロットシステム内に組み入れられた別実施例のコンダクティブバスシステムを図示する。
【図１１】デスクトップ面に沿って配置されたコンダクティブバスシステムの水平取り付け形態の１実施例を図示する。
【図１２】ワイヤー経路として機能する非コンダクティブキャリア内に組み入れられたコンダクティブバス取り付け形態の１実施例を図示する。
【図１３】接着剤の手段によってデスク型オフィス家具部分の下側に取り付けられたコンダクティブバスの１実施例を図示する。
【図１４】磁石の手段によってキャビネット型オフィス家具部分の下側に取り付けられたコンダクティブバスの１実施例を図示する。
【図１５】デスクトップエッジバンディングの手段によってデスク型オフィス家具部分のエッジ内に組み入れられたコンダクティブバスの１実施例を図示する。
【図１６】デスク型オフィス家具部分の下側に取り付けられたコンダクティブバスの１実施例を図示する。
【図１７】キャビネット型オフィス家具部分の下側に取り付けられたコンダクティブバスの１実施例を図示する。
【図１８】帰線（接地）回路が、デスク型オフィス家具部分の導電部分であるデスク型オフィス家具部分に組み入れられた単体のコンダクティブバスの１実施例を図示する。
【図１９】電気バスと集積型通信バスとで成るコンダクティブバスシステムの１実施例を図示する。
【図２０】加工された断面形状を有し、電気バスと、その上に形成された集積型通信バスとを有したコンダクティブバスの１実施例を図示する。
【図２１】機器または器具との結合を形成するのに使用される磁石材用を備えたコンダクティブバスの断面の様々な実施例を図示する。
【図２２】本発明の実施例のバスシステムと共に使用されるオフィース調度品用電力供給部の１実施例を図示する。
【図２３】少なくとも１つのコネクタが過電流及び／又は過電圧に対する保護のためのセンサーまたはセンサースイッチおよび機構を含んだコンダクティブバスシステムの１実施例を図示する。
【図２４】それぞれが図２２の実施例の電力供給部を組み入れており、ゲートウェイを介して１実施例のビル管理システムと通信する一連のオフィーススペース環境を図示する。
【図２５】図２２の実施例のオフィース調度品電力供給部を組み入れた１実施例のオフィーススペース環境を図示する。
【図２６Ａ】本発明の実施例のバスに電気的および機械的に結合できる機器の実施例を図示する。
【図２６Ｂ】本発明の実施例のバスに電気的および機械的に結合できる機器の実施例を図示する。
【図２６Ｃ】本発明の実施例のバスに電気的および機械的に結合できる機器の実施例を図示する。
【図２７Ａ】本発明の実施例のバスに電気的および機械的に結合できる別実施例の機器を図示する。
【図２７Ｂ】本発明の実施例のバスに電気的および機械的に結合できる別実施例の機器を図示する。
【図２７Ｃ】本発明の実施例のバスに電気的および機械的に結合できる別実施例の機器を図示する。
【図２８Ａ】本発明の実施例のバスに電気的および機械的に結合できるさらに別の実施例の機器を図示する。
【図２８Ｂ】本発明の実施例のバスに電気的および機械的に結合できるさらに別の実施例の機器を図示する。
【図２８Ｃ】本発明の実施例のバスに電気的および機械的に結合できるさらに別の実施例の機器を図示する。
【図２８Ｄ】本発明の実施例のバスに電気的および機械的に結合できるさらに別の実施例の機器を図示する。
【図２９Ａ】本発明の実施例のバスに電気的および機械的に結合できる１実施例の機器を図示する。
【図２９Ｂ】本発明の実施例のバスに電気的および機械的に結合できる１実施例の機器を図示する。
【図２９Ｃ】本発明の実施例のバスに電気的および機械的に結合できる１実施例の機器を図示する。
【図３０Ａ】本発明の実施例のバスに電気的および機械的に結合できる別実施例の機器を図示する。
【図３０Ｂ】本発明の実施例のバスに電気的および機械的に結合できる別実施例の機器を図示する。
【図３０Ｃ】本発明の実施例のバスに電気的および機械的に結合できる別実施例の機器を図示する。
【図３１Ａ】例えば、ホワイトボード、プライバシースクリーン、および光源として使用できる１実施例の機器を図示する。
【図３１Ｂ】例えば、ホワイトボード、プライバシースクリーン、および光源として使用できる１実施例の機器を図示する。
【図３２Ａ】１実施例による照明器具が、磁石を使用してコンダクティブバスに１回の動作で機械的および電気的に取り付け可能な１実施例を図示する。
【図３２Ｂ】１実施例による照明器具が、磁石を使用してコンダクティブバスに１回の動作で機械的および電気的に取り付け可能な１実施例を図示する。
【図３２Ｃ】１実施例による照明器具が、磁石を使用してコンダクティブバスに１回の動作で機械的および電気的に取り付け可能な１実施例を図示する。
【図３３Ａ】１実施例による照明器具が、磁石を使用してコンダクティブバスに１回の動作で機械的および電気的に取り付け可能な別実施例を図示する。
【図３３Ｂ】１実施例による照明器具が、磁石を使用してコンダクティブバスに１回の動作で機械的および電気的に取り付け可能な別実施例を図示する。
【図３３Ｃ】１実施例による照明器具が、磁石を使用してコンダクティブバスに１回の動作で機械的および電気的に取り付け可能な別実施例を図示する。
【図３４】オフィス家具部分の窪部内に電力源を収容する１実施例によるオフィーススペース環境を図示する。
【発明を実施するための形態】
【００２０】
実施例の方法および装置の以下の説明には、詳細に説明されている本発明の形態に本発明の範囲を限定させる意図はない。それどころか、以下の説明は、他の形態が本発明の教示に従うように記述されることを意図している。
【００２１】
様々なオフィス家具部分に組み込まれ、及び／又は取り付けられるコンダクティブバスシステム（コンダクティブバス装置）は様々な信号を遠方に伝送する。例えば、１実施例では、電気バスは低電圧ＤＣ電力を、散乱状態を緩和し、カスタム化を可能にし、効率的なワークスペースの利用を促進させる形態でオフィースワークスペースに導入させる。不動な電気コンセントまたは遠方機器から“ワイヤーやケーブルを敷設する”必要なく、オフィースワークスペースは個別に簡素化させることができ、散乱を減らし、オフィースワークスペースの効率的な利用を促進する。当該技術の通常レベル技術者であれば、説明されているコンダクティブバス及び／又は電気バスが、電力、通信、等々を含んだ任意の適した信号を導入するために、任意の適した導電性の帯体、棒体、線体、等々でも構わないことを理解しよう。換言すれば、説明されているコンダクティブバスは特定の導電媒体には限定されない。
【００２２】
例えば、図１は取り付けられた２つの導電体１０２を有した１実施例のコネクタ１００を図示する。この実施例のコネクタ１００は、その上にコネクタ１００が取り付けられるように設計されているコンダクティブバスシステムのタイプによって変えられる、多数の、または少数の導電体を有した任意の好適な取り付け可能及び／又は取り外し可能なものでよい。同様に、コネクタ１００は、様々な代替的コンダクティブバスシステム形態で機能するように設計されている代替的幾何形状を有することができる。実施形態によっては、コネクタ１００はコンダクティブバスシステムに電気的に結合するように設計されている１以上の物理的部材を有する。例えば、実施例によっては、コネクタ１００は電力を供給するために機器（例：照明器具）にまで延びているワイヤーリード線を含むことができる。以下で説明するように、機器と電気バスとの間にワイヤー接続を提供するために、コネクタが垂直取り付けスロットと相互結合されると、コネクタ上に配置された１以上の端子が、露出した、あるいは部分的に露出した線状電気バスに接触できる。例えば、機器は照明器具、扇風機、通常の１２０Ｖの電気コンセント、カップ加温器、モニター、無線センサー、等々でよい。当該技術分野の通常レベル技術者であれば、この機器は、本発明の精神の範囲内で、ここに開示されていない別機器を含むことができることは理解しよう。
【００２３】
図１は、パネルスロット１０６を組み込んだキュービクルウォールオフィス家具部分１０４の１実施例を図示する。キュービクルウォール以外のオフィス家具部分もパネルスロット１０６のごときパネルスロットを組み込むことができる。この実施例のコネクタ１００は、実施例のパネルスロット１０６の断面を図示する図２で示すようにパネルスロット１０６に取り付けることができる。この実施例では、コネクタ１００は、コネクタ１００をその場に保持するためにパネルスロット１０６の１以上の対応する突出部２０２と係合するフック２００のごとき１以上の取り付け具を有する。
【００２４】
当該分野の通常レベル技術者であれば、代替的フック２００及び／又は突出部２０２の構造体を使用して、または、例えば、ボルト、ネジ、接着剤、磁石、フック・ループ式固定具、ハンダ、等々を含んだ全く異なる物理的取り付けシステムを利用して、コネクタ１００をパネルスロット１０６に取り付けられることは理解しよう。例えば、少々異なる構造体が図３に示されており、いくつかの垂直取り付けスロット２３２を含んだ１実施例のオフィス家具部分２３０が図示されている。部分的に露出された線状電気バス２３４が垂直取り付けスロット２３２の内側部分２３６内に垂直に取り込まれており、コネクタ（図示せず）に、部分的に露出した線状電気バス２３４へのアクセスを与えている。
【００２５】
図３の部分的に露出した線状電気バス２３４は、垂直取り付けスロット２３２の内側部分２３６内には組み入れられていない図４で示す追加の電気バス２６０に導電できる。追加の電気バス２６０はオフィス家具部分２３０のどこにでも配置できる。実施例によっては、器具２６２のごとき機器は追加の電気バス２６０に直接的に取り付けられるように一体的に形成されている負荷コネクタを含むことができる。器具２６２は電気バス２３４と追加の電気バス２６０に沿った任意の場所に移動が可能であるため、器具２６２はオフィースワークプレースのカスタム化を可能にし、効率的なワークプレースの利用を促進する。
【００２６】
図５では、１実施例によるコンダクティブバスシステム３００が図示されており、図１と図２の実施例のキュービクルウォールオフィス家具部分１０４はパネルスロット１０６を組み入れている。この実施例では、コンダクティブバス（conductive buss）３０２はキュービクルウォールオフィス家具部分１０４に取り付けられている。この実施例では、コネクタ１００がパネルスロット１０６に取り付けられると、コネクタ１００の導電体１０２は、導電体１０２上のバネによって提供される弾性力によってコンダクティブバス３０２と接触するバネ荷重導電体である。このように、コネクタ１００は、非導電性のパネルスロット１０６によって創出されるコンダクティブバス３０２間の間隙を架橋し、キュービクルウォールオフィス家具部分１０４に取り付けられたコンダクティブバス３０２間に無断絶状態の回路を提供する。コネクタ１００がパネルスロット１０６に取り付けられているときに導電体１０２がコンダクティブバス３０２に接触している限り、コネクタ１００がバネ荷重されていない導電体１０２を有することができることは理解されよう。さらに、オフィス家具部分の形態によっては、コネクタ１００は、パネルスロット１０６ではなくコンダクティブバス３０２に直接的に取り付けられる。コネクタ１００はコンダクティブバス３０２のための機械的支持を提供できる。すなわち、コネクタ１００は、オフィス家具部分１０４に対してコンダクティブバス３０２をその場に保持するのを助けることができる。
【００２７】
さらに、実施例によっては、非導電キャリア３０４はコンダクティブバス３０２を包囲できる。その非導電キャリア３０４は、対応する一連の機械的アンダーカット部、例えば、無線充電ステーションを組み入れる機器に、コンダクティブバス３０２上に直接的に“スナップ留め”または“ポップ留め”させ、機器とコンダクティブバス３０２との間に機械的および導電的接続を提供させる一連の機械的なアンダーカット部を有することができる。
【００２８】
図５の実施例では、コンダクティブバス３０２は共線状であるが、当該分野の通常レベル技術者であれば、コンダクティブバス３０２は垂直、または他の代替的な形態でよく、コネクタ１００は代替的な幾何形状を有し、非共線状コンダクティブバス３０２を収容することができる。当該分野の通常レベル技術者であれば、コネクタ１００は所望に応じて３以上のコンダクティブバスを接続できるような幾何形状を有することができることを理解しよう。さらに、コンダクティブバス３０２は、キュービクルウォール以外の、例えば、デスクトップ、デスクエッジ、デスクレッグ、キャビネット、ファイルキャビネット、食器棚、本棚及び／又はその他の適した個別あるいはそれらの組み合わせ、または他のオフィス家具部分を含んだオフィス家具部分１０４に組み込まれ、あるいは取り付けることができる。同様に本発明は、コンダクティブバス３０２が、磁石、ボルト、ネジ、接着剤、フック・ループ式固定具、等々を介して、それらオフィス家具部分１０４の任意の要素に組み入れられるか、取り付けられることを想定する。
【００２９】
別な実施例では、図６で示すように、実施例のコネクタ１００はプッシュイン端子４００を有する。実施例のプッシュイン端子４００は、供給部、例えば電力源から低電圧ＤＣ（または他の適した信号）を搬送するワイヤー４０２を受領する。ワイヤー４０２は電気または他の信号をコネクタ１００の導電体１０２に伝達することができる。その後、導電体１０２は電気または他の信号をキュービクルウォールオフィス家具部分１０４に取り付けられたコンダクティブバス３０２に伝達する。
【００３０】
前述したように、電力源は低電圧ＤＣ（または他の適した信号）をコンダクティブバスに提供できる。実施例によっては、電力源は、例えば低電力使用スタンバイモードおよび全電力使用モードまで複数モードの機能を有することができる。複数モードの機能間で切換え可能な電力源を有することで、さらに効率的なエネルギー利用が達成できる。当該分野の通常レベル技術者であれば、電力源または電力供給部はここで言及したものだけでなく、他のモードの機能も有することができることを理解するであろう。
【００３１】
本発明の一部の実施例では、電力源はビル管理システム（ＢＭＳ）と通信できる。ＢＭＳは多数の形態のビルのエネルギー使用インフラを管理できる。例えば、ＢＭＳは、ビル全体で電力が様々な電圧出力経路に、どこで、および、いつ供給されるか（あるいはされないか）を管理できる。特に、ＢＭＳは電力が次の例の電圧出力経路、すなわち、ビルの照明システム、コンセント、ＨＶＡＣシステム、等々にいつ送り込まれるかを管理できる。実施例によっては、電力源はゲートウェイを介してＢＭＳと通信できる。その結果、ＢＭＳは任意のビルの様々な電圧出力経路の電力状態を切り替える（例：電力オン・オフ）ことができる。
【００３２】
電気バス、例えば、図７で示すバス４３０またはバス４３２への電力の流れの制御（例：スイッチオン／オフ、増加／減少、等々）を管理する１つの方法はセンサー４３４を利用することである。活性化されると、センサー４３４は、例えばスイッチ４３８のごとき機構に、バス４３０、４３２のごとき１以上の電気バスに対してパワーオンまたはパワーオフの切換えを実行させる電力供給部５４６、電力源、及び／又は他の機器にフィードバックを提供できる。実施例のスイッチ４３８は実施例によってはワイヤースプリッター（wire splitter:電線分配器）内に設置できる。１実施例では、センサー４３４はスイッチ４３８と直接的に通信でき、これは、電力源４３６とバス４３０、４３２の間に配置できる。電気バス４３０、４３２のそれぞれは、１以上の機器４４０Ａから４４０Ｅ、４４２Ａから４４２Ｅにそれぞれ接続でき、エネルギー付与されると、バス４３０、４３２のそれぞれから負荷を引き出す。さらに、センサー４３４は任意の種類のセンサーでよく、例えば、動作が一時的に検出されないときに、電気バス４３０と４３２の一方に供給される電力をカットするモーション感知センサーでよい。当該分野の通常レベルの技術者であれば、他のタイプのセンサーであっても同様に使用できることを理解しよう。実施例によっては、センサー４３４は電力供給部４３６内に組み込みが可能である。他の実施例では、センサー４３４は電力供給部４３６から離れて位置できる。センサーは、有線または無線によって、適した通信プロトコルを介して電力供給部４３６及び／又はスイッチ４３８と通信できる。
【００３３】
本発明は図７で示される実施例以外の多種多様な形態も含んでいる。例えば、そのような実施形態の別例は図８に示されている。従って、実施例のスイッチ４３８および実施例のセンサー４３４は、電力源４３６から電気バス４４６に電力を供給するコネクタ４４４に含まれる。エネルギーが供給されると、バス４４６は複数の機器４４８Ａから４４８Ｅに負荷を提供するであろう。さらに別例では、電力供給部はセンサー及び／又はスイッチを含むことができる。
【００３４】
いずれにしろ、別実施例では、実施例のコネクタ１００は図９で示すように相互結合端子５００を有する。この場合、ワイヤー４０２は供給源、例えば電力源からコネクタ５０２に低電圧ＤＣ（または他の適した信号）を伝達できる。コネクタ５０２は低電圧ＤＣまたは他の適した信号を相互結合端子５００に伝達することができる。その後、相互結合端子５００は低電圧ＤＣまたは他の適した信号を導電体１０２に伝達できる。導電体１０２は低電圧ＤＣまたは他の適した信号をキュービクルウォールオフィス家具部分１０４に取り付けられたコンダクティブバス３０２に伝達できる。別実施形態では、相互結合端子５００は導電体１０２を有しておらず、コネクタ５０２はコンダクティブバス３０２に直接的に接続できる。換言すると、相互結合端子５００は筐体だけを含み、コネクタ５０２が相互結合端子５００に挿入されたとき、コンダクティブバス３０２に直接的に接触する。
【００３５】
スロット式コンダクティブバスシステムの形態のごときコンダクティブバスシステムのための他の物理的な形態もまた本発明の範囲内である。例えば、図１０は垂直スロット式コンダクティブバスシステム６００を図示する。この実施例では、コンダクティブバス３０２は垂直に取り付けられたスロットシステム６０２に取り付けられている。コネクタ６０４は、垂直に取り付けられたスロットシステム６０２の非導電性突出タブ６０８に係合するフック部６０６を有しており、コネクタ６０４の導電体６１０は垂直に取り付けられたスロットシステム６０２に取り付けられたコンダクティブバス３０２に接触する。よって、コネクタ６０４は、オフィースワークスペースの他の領域に位置する追加のバス、または自身で電気を引き入れる機器、例えば、照明器具、無線充電ステーション、通常の１２０Ｖ電気コンセント、モニター、無線センサー、等々のごときに低電圧ＤＣ（または他の適した信号）を伝送することができる。他の形態、例えば水平スロット状コンダクティブバスシステムの形態、等々も同様に本発明の範囲内である。
【００３６】
一方、図１１はデスクトップ面７０２に沿って位置する水平取り付けコンダクティブバスシステム７００の１実施例を図示する。コネクタ７０４はデスクトップ面７０２に沿った任意の場所に取り付けることができ、低電圧ＤＣ（または他の適した信号）がコンダクティブバス３０２からコネクタ７０４を介して機器７０６、例えば無線充電ステーションに伝送される。無線充電ステーション以外の機器、例えば、電灯、通常の１２０Ｖ電気コンセント、モニター、無線センサー、ＵＳＢコネクタ、等々も本発明の範囲内に属することが想定されている。さらに、当該分野の通常レベル技術者であれば、場合によっては、コネクタ７０４は機器７０６に一体的に接続されており、バスシステムへの機器７０６の機械的または電気的な取り付けは１回の動作で達成できる。バスシステム７００と共にデスクトップ面７０２は、オフィースワークスペース利用者のオフィースワークスペース需要に最も即した特定の高さにまで上昇あるいは下降させることが可能である。
【００３７】
他の実施例の水平電気バスは１以上の水平経路を採用できる。水平経路は水平電気バスと協調して機器を機械的にオフィース調度品に取り付けさせ、電気的に電気バスに取り付けさせる。一部の実施例では、水平電気バスと水平経路の幾何形状は、１回の動作で、機器をオフィース調度品に機械的に取り付けさせ、水平電気バスに電気的に取り付けさせるものである。すなわち、１回以上の動作であろうとなかろうと、任意の適した水平電気バスと、機器を機械的にオフィース調度品に取り付け、水平電気バスに電気的に取り付ける水平経路の幾何形状は本発明の範囲内である。実施例によっては、水平電気バスと水平経路の幾何形状は、機器を限定された数の位置で水平電気バスに取り付ける形状であろう。他の実施例は機器を水平電気バスに非限定数の位置で取り付けさせるであろう。この実施例は水平なものとして説明されているが、当該分野の通常レベル技術者であれば、電気バスと経路のための任意の適した構成（例：垂直、対角、埋め込み、部分的露出、等々）が利用可能であることを理解しよう。
【００３８】
別実施例のコンダクティブバスシステムは、１以上の電気バスを収容するための一連の水平スロットを有したスロットウォールを組み入れることができる。それぞれの電気バスは、特定機器のために複数の垂直設置オプションを提供するための特定の水平スロット内に配置できる。例えば、電気バスは、コンピュータモニター（または他の適した機器）を収容するために眼の高さに位置する水平スロット内に挿入できる。さらに別な実施例として、スペースヒータ（または他の適した機器）を収容するために電気バスは足の高さに位置する水平スロットに挿入できる。
【００３９】
スロットウォールを採用するさらに別な実施例のコンダクティブバスシステムは異なる極性を有した電気バスを収容できる。例えば、異なる極性を有する２つの電気バスは隣接する水平スロット内で整合できる。それぞれのそのような水平スロットは異なるスロット幅を有して、電気バスの適正な極性と、それに取り付けられた機器の適正な運用を保証することができる。あるいは、それら２つの電気バス（異なる極性を有する）は、それら２つの電気バスに取り付けられた任意の機器の適正な極性と運用を保証する方向性で同じ水平スロット内に挿入できる。さらに別な実施例では、コンダクティブバスシステムは、当該分野の通常レベル技術者に知られているように、機器の極性を正すように電気機器を組み入れることができる。
【００４０】
図１２は、コンダクティブバス３０２が、ワイヤーレースウェイとして機能する非導電キャリア８０２に取り付けられている別実施例のコンダクティブバスシステム８００を図示する。非導電キャリア８０２は、非導電キャリア８０２の溝部８０４を通過する１以上のワイヤーまたはケーブルを保護及び／又は遮蔽する溝部８０４を有する。当該分野の通常レベル技術者であれば、ワイヤーまたはケーブルを保護及び／又は遮蔽する異なる非導電キャリア８０２および溝部８０４の幾何形状が本発明の精神の範囲内であることを理解しよう。非導電キャリア８０２は、例えば、非導電キャリア８０２の上面８０８に位置する１以上の穴部８０６に挿入されるネジ等の任意の適した取り付け手段を介して、オフィス家具部分１０４に取り付けが可能である。当該分野の通常レベル技術者であれば、非導電キャリア８０２は、磁石、接着剤、フック・ループ式固定具、ボルト、ハンダ、等々を使用してオフィス家具部分１０４に取り付けが可能であることを理解しよう。
【００４１】
図１３、図１４および図１５は、コンダクティブバスがオフィス家具部分１０４に取り付けられている幾つかの可能な追加的方法を図示する。例えば、図１３では、コンダクティブバス９００はデスクトップ型オフィス家具部分９０４の下側に接着帯体９０６を介して取り付けられている。図１４で図示する別実施例では、コンダクティブバス１０００は磁石１００６を介してキャビネット型オフィス家具部分１００４の側部１００２に固定されている。図１５で図示する実施例では、コンダクティブバス１１００は、デスクトップ型オフィス家具部分１１０６のデスクトップエッジ１１０４に固定されたバンディング（banding:結合部）１１０２内に組み入れられている。これらの実施例のバス取り付け技術その他は、上述のごとく設計および製造されている標準型オフィス家具部分に適用できる。
【００４２】
図１６と図１７は、コンダクティブバスがオフィス家具部分１０４に取り付けられるさらに別な方法を図示する。例えば、図１６では、コンダクティブバス１１５０は、コンダクティブバス１１５０の１以上の穴部１１５８と、デスクトップ型オフィス家具部分１１５４の下側１１５２に１以上のネジ１１５６を挿入することで、デスクトップ型オフィス家具部分１１５４の下側１１５２に取り付けられている。別実施例として、図１７は、コンダクティブバス１１８０の１以上の穴部１１８８と、キャビネット型オフィス家具部分１１８４の下側１１８２に１以上のネジを挿入することでキャビネット型オフィス家具部分１１８４の下側１１８２に取り付け可能であるコンダクティブバス１１８０を図示する。
【００４３】
当該分野の通常レベル技術者であれば、本発明の範囲から逸脱せずに、コンダクティブバスをオフィス家具部分１０４に取り付ける別方法が存在することを理解しよう。同様に、当該分野の通常レベル技術者であれば、オフィス家具部分１０４が、オフィス家具部分１０４が配置されているオフィースワークスペースの利用者の需要を満たす限り、コンダクティブバスが任意の種類のオフィス家具部分１０４の任意の位置に取り付けられることを理解しよう。
【００４４】
例示として、図１８で示すように、単一のコンダクティブバス１２３０はデスク型オフィス家具部分１２３４の上面１２３２内に直接的に取り入れられている。デスク型オフィス家具部分１２３４は、低電圧ＤＣが単一のコンダクティブバス１２３０を通過して流れるのに必要な帰線（接地）回路１２３６として運用される。デスク型オフィス家具部分２１３２は、電気が単一のコンダクティブバス１２３０からデスク型オフィス家具部分１２３２を通過して流れるように、充分に導電性の材料から製造されなければならない。実施例の単一コンダクティブバス１２３０は、デスク型オフィス家具部分１２３２の他の部分、例えば、デスクレッグまたはデスクエッジに、あるいは、例えば、キャビネット、本棚、戸棚、等々の他のタイプのオフィース調度品部分に組み入れることができる。
【００４５】
図１９は、電気バス１２８２と通信バス１２８４の両方を有する１実施例のバスシステム１２８０を図示する。通信バス１２８４は、通信、ネットワーク、ＰＳＴＮ、ＶＯＩＰ、インターネット、イーサネット（登録商標）、電話、シリアル、ＵＳＢ、あるいは当該分野で知られた任意の他のタイプの通信バスを含むことができる。制御機器１２８６が電気バス１２８２と通信バス１２８４にバスシステム１２８０の第１領域１２８８で取り付けられている。周辺機器１２９０が電気バス１２８２と通信バス１２８４にバスシステム１２８０の第２領域１２９２で取り付けられている。電気バス１２８２と通信バス１２８４は、周辺機器１２９０が制御機器１２８６から離れた位置にあったとしても、制御機器１２８６、例えばコンピュータに周辺機器１２９０、例えばコンピュータモニターと通信させる。
【００４６】
図２０は加工された断面形状１３５２を備えたバスシステム１３５０を図示する。加工された断面形状１３５２は、加工された断面形状１３５２を通過して流れる低電圧ＤＣ（または他の適した信号）内に入るのに必要な負荷コネクタの幾何形状と両立できる任意の幾何形状でもよく、例えば方形断面が含まれる。
【００４７】
特定の断面を有したバスシステムには多くの利便性が存在するが、同様に、特定の材料で形成されるバスシステムの多くの利便性が存在する。例えば図２１は、鉄系金属ワイヤー１４０８を含んだ４つの実施例のバスシステム１４００、１４０２、１４０４、１４０６を図示する。実施例によっては、鉄系金属ワイヤー１４０８ーは、バスシステム１４００、１４０２、１４０４、１４０６の１つに磁気的に取り付けられる機器を提供する。従って、そのような実施例では、機器は１回の動作で電気的および機械的にバスシステム１４００、１４０２、１４０４、１４０６に結合できる。さらに別の実施例では、機器は重力のみによってバスシステムに固定できる。
【００４８】
さらに、図２２は１実施例のオフィース調度品電力供給部１５００を図示する。実施例によっては、オフィース調度品電力供給部１５００は、低電圧ＤＣ電力を充電可能なバッテリーを利用する多数の製品、例えば、オフィース環境に一般的に存在するラップトップ、携帯電話、スマートフォン、等々に提供する変圧“ブリック”を交換、及び／又は補完する。明細書を通して説明しているように、電気コンセントからのＡＣ電圧を、そのような機器に供給されるＤＣ電圧に変換するこれら変圧“ブリック”は変換プロセス中にしばしばエネルギーを無駄にする。実施例のオフィース調度品電力供給部１５００は無駄にされるエネルギー量を減少させる。実施例のオフィース調度品電力供給部１５００は、本発明の任意の実施例のコンダクティブバスシステムに電力を供給する。
【００４９】
例えば、実施例のオフィース調度品電力供給部１５００は１以上のセンサー１５０２と通信することで電力消費を減少させる。実施例のオフィース調度品電力供給部１５００は１以上のセンサー１５０２と無線あるいは他の適した通信プロトコルを介して通信する。特に１実施例では、その１以上のセンサー１５０２は、晴れた日中、等々にはオフィースの照明を低減または切断するため、オフィース調度品電力供給部１５００への周囲光の強度に関する情報を通信する光センサーである。さらに別な実施例では、その１以上のセンサー１５０２は、その１以上のセンサー１５０２が、例えば従業員の昼休み時、夜間、等々に利用者の存在を検出しないときに、電気バスへのエネルギー供給を絶つために、手前側の環境における利用者の不存在をオフィース調度品電力供給部１５００に通信するモーション感知センサー及び／又は他の適したセンサーでよい。さらに別な実施例では、その１以上のセンサー１５０２は、情報をオフィース調度品電力供給部１５００に通信する任意の適した種類のセンサーでよい。
【００５０】
実施例のオフィース調度品電力供給部１５００は１以上の入力部１５０８を介して電力を受領する。その１以上の入力部１５０８はＡＣ電力、ＤＣ電力、あるいは両方を所望に応じて受領することができる。単なる例示であるが、その１以上の入力部１５０８は１２０ＶのＡＣ電力、２３０ＶのＡＣ電力、及び／又は３８０ＶのＤＣ電力を受領する。
【００５１】
実施例のオフィース調度品電力供給部１５００は、ビル管理システム及び／又は他のオフィース調度品電力供給部と通信するためにゲートウェイ１５１０も含む。特に、実施例のゲートウェイ１５１０はオフィース調度品電力供給部１５００に、任意の適した通信プロトコル、例えば、有線、無線、等々によってビル管理システム及び／又は他のオフィース調度品電力供給部と通信させる。ＢＭＳ、ＰＣまたは他の機器と有線通信をさせるため、実施例のオフィース調度品電力供給部１５００はデータポート１５１２を含むことができる。本発明はさらに、ビル管理システムと通信するため、ゲートウェイが任意の他の適した通信プロトコルを利用することを想定する。当該分野の通常レベル技術者であれば、ビル管理システムは全体的なビル電力消費設定を管理することができることを理解しよう。
【００５２】
オフィース調度品電力供給部１５００にローカルな制御を提供するため、実施例のオフィース調度品電力供給部１５００は機器１５０４、例えば、パソコン、スマートフォン、タブレット、コントローラ、等々と通信する。機器１５０４は、オフィース調度品電力供給部１５００に対して通信、管理及び／又はインストラクションを提供できる任意の適した機器でよい。理解されようが、オフィース調度品電力供給部１５００は機器１５０４と無線、または任意の他の適した通信プロトコルを介して通信できる。
【００５３】
予期せぬ電力損失を防止するため、実施例のオフィース調度品電力供給部１５００はバッテリーバックアップ１５０６を含む。図示の実施例では、バッテリーバックアップ１５０６は２４ＶのＤＣ電力を提供し、オフィース調度品電力供給部１５００に一体化されている。あるいは、バッテリーバックアップ１５０６は、オフィース調度品電力供給部１５００に一体化されていない周辺機器でよい。
【００５４】
多様なオフィーススペース環境の電力需要を満たすため、オフィース調度品電力供給部１５００は、非制御出力部１５１４と制御出力部１５１６の両方を含む。非制御出力部１５１４は電力が決して切断されない機器に電力を供給するために使用でき、制御出力部１５１６はエネルギー使用需要がさほど一定しない機器に電力供給するのに適している。非制御出力部１５１４と制御出力部１５１６はＡＣ電力及び／又はＤＣ電力を所望に応じて出力する。
【００５５】
例えばコンダクティブバス等の機器に対する電力損失を防止するため、オフィース調度品電力供給部１５００は手動オーバーライドスイッチ１５１８を含む。例えば前述したように、オフィース調度品電力供給部１５００は、ピーク使用時などの毎日の一定時間にコンダクティブバスへの電力をカットできる。しかし、もし従業員がこの時間後に仕事を継続する等で電力を必要とするなら、勤務時間後、ピーク利用時、等々に、コンダクティブバスと、コンダクティブバスに取り付けられた機器の継続使用を可能にするため、手動のオーバーライドスイッチ１５１８を使用して手動でオフィース調度品電力供給部１５００をオーバーライドすることができる。
【００５６】
低電圧ＤＣ電流が設定された安全レベルを超える場合に備えて、例えば、第２種電流（アンペア）安全条件を超える場合に備えて、実施例のオフィース調度品電力供給部１５００は、オフィース調度品電力供給部１５００からの電力をカットするリセットスイッチ１５２０を含む。例えば、過剰な物品が同時的に単一のコンダクティブバスから電力を引き出しているなら、リセットスイッチ１５２０はオフィース調度品電力供給部１５００からの電力をカットできる。加えて、リセットスイッチ１５２０が、他の(安全に関わる)理由で、オフィース調度品電力供給部１５００からの電力をカットすることも想定内である。
【００５７】
オフィース調度品電力供給部１５００は、安全その他の理由で電力を制限またはカットする機能を有しているとして開示されているが、本発明は、図２３で示すように、過電圧及び／又は過電流が関与する状態に対抗して保護するための機構１５５４を含んだ実施例のコネクタ１５５０、１５５２も想定する。この機構１５５４はオフィース調度品電力供給部１５００の機能性に加えて、あるいは代替で提供される。過電流及び／又は過電圧に対抗して保護する機構１５５４は、実施例によってはヒューズと同様に作用するが、当該分野の通常レベル技術者であれば、この機能を実行する複数の方法が存在することは理解しよう。もし誰かが不適切な電源に接続したような場合等、機構１５５４はいくつかの状況に応じて、例えば、装置及び／又は個人に対するダメージまたは損傷を防止する等により保護する。実施例によっては、コネクタ１５５０は、過電流及び／又は過電圧に対抗して保護するため、機構１５５４に加えてセンサースイッチ１５５６を含む。センサースイッチ１５５６は実施例によっては、負荷を必要とする機器１５６０Ａから１５６０Ｅを支持するバス１５５８に伝達される電力に関して、別コントローラとして機能するセンサー（例：電力供給部１５００、スプリッタ４３８、機構１５５４、等々に加えて）と関係する。しかし他の実施例では、コネクタ１５５２は、過電圧と過電流に対する保護のために機構１５５４に加えてセンサースイッチを含まない。よって、電力供給部１５００、スプリッタ（splitter:分配器）４３８、及び／又は機構１５５４は、負荷を必要とする機器１５６４Ａから１５６４Ｅを支持するバス１５６２に供給される電力を制御するように機能する。
【００５８】
図２４は一連のオフィーススペース１６００を図示する。一連のオフィーススペース１６００を含んだオフィーススペース１６００Ａから１６００Ｄは、それぞれオフィース調度品電力供給部１６０２を組み入れる。オフィース調度品電力供給部１６０２は有線接続及び／又は無線接続を介して互いに通信する。前述したように、ビル管理システム１６０４及び／又は他のオフィース調度品電力供給部１６００Ａから１６００Ｃと通信するため、オフィース調度品電力供給部１６０２Ｄの少なくとも１つはゲートウェイを含む。
【００５９】
図２５は、オフィース調度品電力供給部１５００のごときオフィース調度品電力供給部１６５２を組み入れたオフィーススペース環境１６５０を図示する。この実施例では、オフィース調度品電力供給部１６５２はパソコン１６５４、コンダクティブバス１６５６及び／又は他の機器に所望に応じて電力を供給する。オフィース調度品電力供給部１６５２は１以上のワイヤー１６５８を介して機器に電力を供給でき、例えば、コネクタ１６６０を介してコンダクティブバス１６５６に電力を供給できる。コネクタ１６６０は、活性化されるとコンダクティブバス１６５６へのエネルギーをカットさせるセンサーを有することができる。このセンサーは任意の適したタイプのセンサーでよく、例えばモニターセンサーでよい。この実施例のオフィーススペース環境１６５０はタスク（仕事用）照明具１６６２をも含む。タスク照明具１６６２は、オフィーススペース環境１６５０で周囲光に基づいてその照明出力を調節するために、タスク照明具１６６２と通信する昼光センサー１６６４を組み入れている。
【００６０】
実施例のオフィーススペース環境１６５０は、独立したコンダクティブバス１６６８に接続され、そこから電力を引き出す無線式利用者検出センサー１６６６も含んでいる。無線式利用者検出センサーは、コンダクティブバス１６５６への電力出力を制御するためにオフィース調度品電力供給部１６５２と通信できる。このようにして、無線式利用者検出センサー１６６６によって全く動作が検出されなければ、オフィース調度品電力供給部１６５２はコンダクティブバス１６５６に電力を供給せず、オフィーススペース環境１６５０での電力消費を減少させる。
【００６１】
図２６から図３３は、ここで開示されている実施例のコンダクティブバス等のコンダクティブバスに電気的および機械的に結合されている様々な実施例の機器を図示する。図２６Ａから図２６Ｃには、多数の実施例のエッジ電照器具１７００、１７０２、１７０４が図示されている。斜視図は図２６Ａで図示されており、斜視正面図は図２６Ｂで図示されており、概略側面図は図２６Ｃで図示されている。エッジ電照器具１７００、１７０２、１７０４のそれぞれはコンダクティブバス１７０６に機械的および電気的に、前述のごとく１回の動作で結合されるように図示されている。実施例によっては、エッジ電照器具１７００、１７０２、１７０４のためのコンダクティブバス１７０６近辺の光源はＬＥＤである。方形断面形状を有した、及び／又は実施例によっては透明な光ガイドは光源からの光を方向変換させ、表面に向かって光を方向付ける光学手段に向けて光を方向付けることができる。
【００６２】
１実施例では、例えばエッジ電照器具１７００は、光ガイド１７０８と、２つの対面する表面から光線１７１０を放射する光学手段（図示せず）とを含む。別実施例では、エッジ電照器具１７０２は、光ガイド１７１２と、図２６Ｃで示す実施例では下方に向かう方向に表面から光線１７１０を放射する光学手段（図示せず）とを含む。また別な実施例では、エッジ電照器具１７０４は光ガイド１７１４と、パネルのエッジから取り付け面に向けて光線を放射する光学手段（図示せず）とを含む。１実施例では、光ガイド１７１４は１３５°から略１８０°の間で曲げられ、光線を光ガイドのエッジまたは側面から外出させる。あるいは光ガイドは、光源からの光線を受領し、その光線を取り付け面に向けるように形状化された反射器でよい。それぞれの実施例において、コンダクティブバス１７０６は、例えばオフィース調度品に取り付けられた基部１７１６によって支持できる。
【００６３】
図２７Ａから図２７Ｃは、光ガイド型パネル１７５２、反射フード１７５４、帯状ＬＥＤ印刷回路板（ＰＣＢ）１７５６、および、エッジ電照パーティション１７５０をコンダクティブバス１７６０に結合するための少なくとも１つのコネクタ１７５８を有したエッジ電照パーティション１７５０の形態の別実施例機器を図示する。図２７Ｂに示すように、反射フード１７５４は光ガイド型パネル１７５２の上部から放射された光線１７１０を下方に反射する。
【００６４】
図２８Ａから図２８Ｄは、本発明の実施例のコンダクティブバスと共に使用できる、さらに別の実施例の機器、具体的には床ランプ１８００の様々な斜視図を提供する。１実施例では、実施例の床ランプ１８００は基部１８０２、電力入力部１８０４、光ガイドパネル及び／又は支持部１８０６、および反射フード１８０８を含む。１実施例では、実施例の床ランプ１８００は、電気的に電力入力部１８０４に結合された帯状ＬＥＤであるＰＣＢ１８１０を含むことができる。電力入力部１８０４は選択的または永久的に電力供給部に結合できる。
【００６５】
図２９Ａから図２９Ｃで図示するさらに別な実施例では、別実施例の床ランプ１８５０が本発明のコンダクティブバスと共に使用できる。実施例の床ランプ１８５０は一般的に支持部または光ガイド１８５２、基部１８５４、反射フード１８５６、および光源１８５８を含んでいる。場合によっては、光ガイド１８５２は光線を放射でき、場合によっては、光ガイド１８５２は支持部を通して光線を反射フード１８５６に伝送する。実施例によっては、反射フード１８５６は光線の一部を上方に放射するが、光線の大部分が下方に反射する。
【００６６】
図３０Ａから図３０Ｃは、光ガイド型パネル１９０２、基部１９０４、反射フード１９０６、電力入力部１９０８および帯状ＬＥＤのＰＣＢ１９１０を有した実施例のデスクトップ型タスク照明器具１９００の形態の別実施例の機器を図示する。１実施例では、反射フード１９０６は一般的に水平であるか、または光ガイド型パネル１９０２の主要部から略９０°曲げられ、一体的に形成されたプリズム型反射要素を含み、デスクまたは他の表面に向けて下方に方向付けることに加えて、光線を反射フード１９０６および光ガイドパネル１９０２の側部に向けて方向付ける。
【００６７】
図３１Ａと図３１Ｂでは、矩形光ガイド１９５２、帯状ＬＥＤのＰＣＢ光源１９５４、および、コンダクティブバス１９５８に電気的および機械的に結合された２つのコネクタ１９５６を含んだ実施例の照明器具１９５０が図示されている。図示のごとく、光線１７１０は矩形光ガイド１９５２、および矩形光ガイド１９５２の方向に配置された、あるいはその上部に配置された反射フード１９６０から放射される。矩形光ガイド１９５２は、例えば、ホワイトボード、光源、アクセント照明具およびプライバシースクリーンのごとき複数の役割を果たすことができる。
【００６８】
さらに別な実施例の照明器具２０００が図３２Ａから図３２Ｃに図示されている。この実施例では、実施例の照明器具２０００はＬＥＤを利用しており、選択的にバス帯体２００２に取り付けることができる。このような形態が有利であろう１つの純粋に例である位置はキャビネットの下側である。バス帯体２００２は、電力バス２００６に加えて、バス帯体２００２の裏面に取り付けられた鉄系金属帯２００４を含むことができる。同様に照明器具２０００は磁石要素を含み、照明器具２０００を磁力によって、キャビネット、テーブルまたは他のオフィース調度品の下側に取り付け可能なバス帯体２００２に取り付けが可能である。
【００６９】
さらに、図３３Ａから図３３Ｃは実施例の照明器具２０００に類似した別実施例の照明器具２０２０を図示する。磁性の照明器具基部２０２４を有することができる図３３Ａから図３３Ｃの実施例の照明器具２０２０は、テーブル、キャビネット、等々の下側でバス帯体２０２２に取り付けられる。実施例のバス帯体２０２２は、磁力による取り付けのために鉄系金属ワイヤー２０２６を含み、さらに電力バス２０２８を含む。バス帯体２０２２とバス帯体２００２の１つの相違は、バス帯体２０２２は磁化したワイヤー、具体的には鉄系金属ワイヤー２０２６を使用し、実施例の照明器具２０２０との磁気引力を提供するが、バス帯体２００２は鉄系金属帯体２００４を使用して磁気引力を提供することである。当該分野の通常レベル技術者であれば、磁性要素を活用するいくつかの形態が可能であることを理解しよう。
【００７０】
図３４は、オフィース調度品電力源１５００のごときオフィース調度品電力源２１０２を組み入れたオフィーススペース環境を図示する。この実施例では、オフィース調度品電力源２１０２はオフィス家具部分２１０６の窪部２１０４内に収容されている。実施例によっては、窪部２１０４は、オフィース調度品電力源２１０２を通過して空気を対流させるダクト２１０８を有する。さらに別な実施例では、オフィース調度品電力源はオフィス家具部分の金属フレームに直接的に取り付け可能であり、フレームは伝導冷却を提供できる。さらに別な実施例では、電力源は、機器に作動させるのに使用される電力の供給に加えてバッテリーのバックアップ充電もでき、短時間の停電の場合に機器の継続使用を可能にする。
【００７１】
以上、いくつかの実施例の方法および装置が説明されているが、この発明の範囲はそれらに限定されない。それどころか、この発明は、請求の範囲に文言通り属するか、均等論により属する全ての方法、装置および製品を含むものである。
【図１】
0006316301.tif 000002
【図２】
0006316301.tif 000003
【図３】
0006316301.tif 000004
【図４】
0006316301.tif 000005
【図５】
0006316301.tif 000006
【図６】
0006316301.tif 000007
【図７】
0006316301.tif 000008
【図８】
0006316301.tif 000009
【図９】
0006316301.tif 000010
【図１０】
0006316301.tif 000011
【図１１】
0006316301.tif 000012
【図１２】
0006316301.tif 000013
【図１３】
0006316301.tif 000014
【図１４】
0006316301.tif 000015
【図１５】
0006316301.tif 000016
【図１６】
0006316301.tif 000017
【図１７】
0006316301.tif 000018
【図１８】
0006316301.tif 000019
【図１９】
0006316301.tif 000020
【図２０】
0006316301.tif 000021
【図２１】
0006316301.tif 000022
【図２２】
0006316301.tif 000023
【図２３】
0006316301.tif 000024
【図２４】
0006316301.tif 000025
【図２５】
0006316301.tif 000026
【図２６Ａ】
0006316301.tif 000027
【図２６Ｂ】
0006316301.tif 000028
【図２６Ｃ】
0006316301.tif 000029
【図２７Ａ】
0006316301.tif 000030
【図２７Ｂ】
0006316301.tif 000031
【図２７Ｃ】
0006316301.tif 000032
【図２８Ａ】
0006316301.tif 000033
【図２８Ｂ】
0006316301.tif 000034
【図２８Ｃ】
0006316301.tif 000035
【図２８Ｄ】
0006316301.tif 000036
【図２９Ａ】
0006316301.tif 000037
【図２９Ｂ】
0006316301.tif 000038
【図２９Ｃ】
0006316301.tif 000039
【図３０Ａ】
0006316301.tif 000040
【図３０Ｂ】
0006316301.tif 000041
【図３０Ｃ】
0006316301.tif 000042
【図３１Ａ】
0006316301.tif 000043
【図３１Ｂ】
0006316301.tif 000044
【図３２Ａ】
0006316301.tif 000045
【図３２Ｂ】
0006316301.tif 000046
【図３２Ｃ】
0006316301.tif 000047
【図３３Ａ】
0006316301.tif 000048
【図３３Ｂ】
0006316301.tif 000049
【図３３Ｃ】
0006316301.tif 000050
【図３４】
0006316301.tif 000051